Podtech/llm-jp-corpus-v4-ja_patent huggingface dataset:
【誤訳訂正書】
【提出日】令和3年10月25日(2021.10.25)
【誤訳訂正１】
【訂正対象書類名】特許請求の範囲
【訂正対象項目名】全文
【訂正方法】変更
【訂正の内容】
【特許請求の範囲】
【請求項１】
第１のポリマー組成物を有する第１層と、
上記第１層に隣接する第２層であって、上記第１のポリマー組成物と異なる第２のポリマー組成物を有し、全体にわたって、（ｉ）複数の不動態化ＴｉＯ２微粒子と、（ｉｉ）上記第２層のポリマー組成物の総合重量に基づいて０．１重量％から５．０重量％の範囲内の所定量の、少なくとも１つのシラン含有接着助長剤とを有する、上記第２層とを有し、
上記第１層の上記第１のポリマー組成物はシラン含有接着助長剤を含まず、
上記第１層および上記第２層は上記第１層および上記第２層の間の界面において接着助長剤で表面処理されないことを特徴とするゴルフボール。
【請求項２】
アイオノマーからなる第１層と、
上記第１層を包囲し上記第１層に隣接し、ポリウレタンからなる第２層とを有し、
上記第２層の上記ポリウレタンは、全体にわたって、（ｉ）複数の不動態化ＴｉＯ２微粒子と、（ｉｉ）上記第２層のポリマー組成物の総合重量に基づいて０．１重量％から５．０重量％の範囲内の所定量の、少なくとも１つのシラン含有接着助長剤とを有し、
上記第１層の上記アイオノマーはシラン含有接着助長剤を含まず、
上記第１層および上記第２層は上記第１層および上記第２層の間の界面において接着助長剤で表面処理されないことを特徴とするゴルフボール。
【請求項３】
上記少なくとも１つのシラン含有接着助長剤はオルガノシランおよびシランベースのオルガノシロキサンからなるグループから選択される請求項１または２に記載のゴルフボール。
【請求項４】
上記不動態化ＴｉＯ２微粒子は上記第２のポリマー組成物中に、上記第２のポリマー組成物の総重量をベースにして１重量％から１０重量％の範囲で含まれる請求項１または２に記載のゴルフボール。
【請求項５】
上記不動態化ＴｉＯ２微粒子は、アルミナ／シリカで表面処理される請求項４記載のゴルフボール。
【請求項６】
上記不動態化ＴｉＯ２微粒子の少なくともいくつかは、アルミナ／シリカで表面処理される請求項４記載のゴルフボール。
【請求項７】
上記不動態化ＴｉＯ２微粒子の少なくともいくつかは、アルミナ／ジルコンをベースにしたコーティングにより表面処理される請求項４記載のゴルフボール。
【請求項８】
上記不動態化ＴｉＯ２微粒子は上記第２のポリマー組成物中に、上記第２のポリマー組成物の総重量をベースにして２重量％から１０重量％の範囲で含まれる請求項６記載のゴルフボール。
【請求項９】
上記不動態化ＴｉＯ２微粒子は、２００ｎｍから３５０ｎｍの直径を有して含まれる請求項６記載のゴルフボール。
【請求項１０】
上記第２のポリマー組成物はポリウレタンである請求項１に記載のゴルフボール。
【請求項１１】
上記ポリウレタンは熱可塑性である請求項１０記載のゴルフボール。
【請求項１２】
上記ポリウレタンは熱硬化性である請求項１０記載のゴルフボール。
【請求項１３】
上記第１のポリマー組成物はアイオノマーである請求項１０記載のゴルフボール。
【請求項１４】
上記第１層は内側カバー層であり上記第２層は外側カバー層である請求項１３記載のゴルフボール。
【請求項１５】
上記第１層は、内側コア層および外側コア層を具備する二重コアを包囲し、上記内側コア層および上記外側コア層の少なくとも１つはポリブタジエンからなる請求項２または１３に記載のゴルフボール。
【請求項１６】
上記内側コア層は熱可塑性組成物を有する請求項１５記載のゴルフボール。
【請求項１７】
上記不動態化ＴｉＯ２微粒子の少なくともいつくかは、２００ｎｍより小さい直径を有し、また、３５０ｎｍより大きい直径を有する請求項６記載のゴルフボール。
【請求項１８】
上記不動態化ＴｉＯ２微粒子は、２００ｎｍから３５０ｎｍの直径を有するＴｉＯ２微粒子からなる請求項６記載のゴルフボール。
【誤訳訂正２】
【訂正対象書類名】明細書
【訂正対象項目名】０００７
【訂正方法】変更
【訂正の内容】
【０００７】
この点に関して、シラン接着助長表面処理剤および結合層が隣接する異なる係合層の間で層間接着を改善することが知られている。例えば、本出願人による米国特許第６，９２６，６２１号（Ｌｕｔｚ等）を参照されたい。この内容は参照してここに組み入れる。そのような表面前処理では、シラン接着助長剤が、正味の（溶媒なし）または溶液中のものとして、１つの層の外側表面の周りに、第２の層と係合またはその他の結合を行う前に、露呈されまたは塗布される。シラン接着助長剤は、処理された層と、隣接する異なる層との間に強固な結合を形成するための反応性表面を実現する。しかしながら、シラン含有接着助長剤は、一旦使用され、塗布されると、好ましくない、制限された有効寿命しか有さず、そして、結合層の表面前処理または塗布を短い特定の時間枠のなかで成型しないと、これらのその間の適切な接着が実現できない。
【誤訳訂正３】
【訂正対象書類名】明細書
【訂正対象項目名】０１３５
【訂正方法】変更
【訂正の内容】
【０１３５】
表ＩおよびＩＩのゴルフボールは顔料を含まないが、その後、白色顔料（ＴｉＯ２を含む）カバーを有する異なるゴルフボールを作成した。表ＩＩＩに示されているように、第２層調合に、不動態化された白色顔料ＴｉＯ２を組み込むことにより（例Ｅｘ．４）、不動態化されていない場合（比較例Ｃｏｍｐ．Ｅｘ．４）と異なり、第２層および隣接層の間委良好な接着性を実現する。ＴｉＯ２微粒子は、米国特許出願公開第２００８／０２９９０５６号（Ｆｒｅｒｉｃｈｓ等）に開示されているようなプロセスを使用して不動態化されて良く、その内容は参照してここに組み入れる。ただし、ＴｉＯ２を不動態化するための他の既知の方法を適宜使用して、第２層配合物に含まれる不動態化ＴｉＯ２微粒子を調製できることに留意されたい。
【誤訳訂正４】
【訂正対象書類名】明細書
【訂正対象項目名】０１３９
【訂正方法】変更
【訂正の内容】
【０１３９】
際立って明瞭なことに、この発明のゴルフボールＥｘ．４のカバー調合は、（カバー組成物の総重量の２．５％の量で）不動態化されたＴｉＯ２（アルミナ／シリカ表面処理されたＴｉＯ２）を含んでいたのに対して、両方の比較ゴルフボールＣｏｍｐ．Ｅｘ．３およびＣｏｍｐ．Ｅｘ．４は、これに代わって、不動態化されていないＴｉＯ２微粒子を含んでいた。さらに、この発明のゴルフボールＥｘ．４のカバー調合および比較ゴルフボールＣｏｍｐ．Ｅｘ．４は、同じシラン含有接着助長剤を組み込んだが、これは、比較ゴルフボールコンプＣｏｍｐ．Ｅｘ．３のカバー調合から除外され、Ｃｏｍｐ．Ｅｘ．３では、これに替えて、１．２５秒間コロナ放電によるケース入りコア表面処理を行った。
【手続補正書】
【提出日】令和2年12月9日(2020.12.9)
【手続補正１】
【補正対象書類名】特許請求の範囲
【補正対象項目名】全文
【補正方法】変更
【補正の内容】
【特許請求の範囲】
【請求項１】
高吸水性高分子化合物を基材とするナノ微粒子を含む、腫瘍封止剤であって、
当該高吸水性高分子化合物を基材とするナノ微粒子は、水分により膨潤し、その膨潤度は、乾燥時における基材の体積の少なくとも２〜１０００倍であり、
当該高分子化合物は、分子間で架橋され、
ナノ微粒子は、２０ｎｍ以上７００ｎｍ以下であり、
腫瘍封止剤は、固形悪性腫瘍組織内に投与されるか、固形悪性腫瘍近傍に投与されるか、又は固形悪性腫瘍近傍の動脈に投与されるものであり、当該投与は、ナノ微粒子が、腫瘍細胞を覆い、かつ、腫瘍組織で生体内の水分と接触することによって膨潤して、当該腫瘍への血流または栄養供給を減少させ、腫瘍を壊死させる、
腫瘍封止剤。
【請求項２】
高吸水性高分子化合物を基材とするナノ微粒子を含む、腫瘍封止剤であって、
当該高吸水性高分子化合物を基材とするナノ微粒子は、水分により膨潤するものであり、その膨潤度は、乾燥時における基材の体積の少なくとも２〜１０００倍であり、
当該高分子化合物は、分子間で架橋され、
腫瘍封止剤は、固形悪性腫瘍組織内に投与されるものであり、当該投与は、ナノ微粒子が、腫瘍細胞を覆い、かつ、腫瘍組織で生体内の水分と接触することによって膨潤して、当該腫瘍への血流または栄養供給を減少させ、腫瘍を壊死させる、
腫瘍封止剤。
【請求項３】
フリーズドライされた、請求項１または２に記載の腫瘍封止剤。
【請求項４】
前記ナノ微粒子が油性媒体に分散させたエマルション形態である、請求項１または２に記載の腫瘍封止剤。
【請求項５】
薬剤、造影剤、および色素からなる群から選択される機能性物質をさらに包含する、請求項１〜４のいずれか一項に記載の腫瘍封止剤。
【請求項６】
高吸水性高分子化合物を基材とするナノ微粒子を含む、動脈塞栓用塞栓材であって、
当該高吸水性高分子化合物は、水分により膨潤することができるものであり、その膨潤度は、乾燥時における基材の体積の少なくとも２〜１０００倍であり、
腫瘍封止剤は、固形癌近傍の動脈に投与され、投与は、腫瘍への動脈に塞栓を形成し、これにより、腫瘍への血流を阻止するように行われる、動脈塞栓用塞栓材。
【手続補正書】
【提出日】令和3年9月22日(2021.9.22)
【手続補正１】
【補正対象書類名】特許請求の範囲
【補正対象項目名】全文
【補正方法】変更
【補正の内容】
【特許請求の範囲】
【請求項１】
コンピュータを、
プレイヤによるクエストのクリアによって、当該プレイヤに対応付けられたクエストに関する実績値を上昇させる更新手段、
前記プレイヤからの要求によって、抽選した一又は複数のコンテンツを当該プレイヤに獲得させる抽選手段、
として機能させ、
前記抽選手段は、前記実績値に応じて、前記獲得させるコンテンツの数を増加させる、
プログラム。
【請求項２】
前記抽選手段は、前記実績値が所定値を超えている場合、特定の抽選において、高レアリティが設定されたコンテンツの抽選確率を基準値から上昇させる、
請求項１に記載のプログラム。
【請求項３】
プレイヤによるクエストのクリアによって、当該プレイヤに対応付けられたクエストに関する実績値を上昇させる更新手段と、
前記プレイヤからの要求によって、抽選した一又は複数のコンテンツを当該プレイヤに獲得させる抽選手段と、
を備え、
前記抽選手段は、前記実績値に応じて、前記獲得させるコンテンツの数を増加させる、
情報処理装置。
【手続補正書】
【提出日】令和3年4月20日(2021.4.20)
【手続補正１】
【補正対象書類名】特許請求の範囲
【補正対象項目名】請求項１
【補正方法】変更
【補正の内容】
【請求項１】
ホール関係者が設定可能な複数段階の甲値に関する選択操作が可能な甲操作手段と、
遊技者が設定可能な複数段階の乙値に関する選択操作が可能な乙操作手段と、
前記甲操作手段により得られた前記甲値及び前記乙操作手段により得られた前記乙値に基づいて遊技音量を設定可能な遊技音量設定手段とを備えた
遊技機において、
電源投入後に、現在選択されている前記甲値の情報を取得し、当該甲値に関する情報を現在情報として記憶する現在情報記憶手段と、
前記甲値が変更された場合には、その変更後の前記甲値の情報により前記現在情報の内容を更新する現在情報更新手段と、を有する
ことを特徴とする遊技機。
【手続補正２】
【補正対象書類名】明細書
【補正対象項目名】０００４
【補正方法】変更
【補正の内容】
【０００４】
本発明は、遊技音量の調整をより好適に行うことが可能な遊技機を提供することを目的とする。
【手続補正３】
【補正対象書類名】明細書
【補正対象項目名】０００５
【補正方法】変更
【補正の内容】
【０００５】
本発明は、ホール関係者が設定可能な複数段階の甲値に関する選択操作が可能な甲操作手段と、遊技者が設定可能な複数段階の乙値に関する選択操作が可能な乙操作手段と、前記甲操作手段により得られた前記甲値及び前記乙操作手段により得られた前記乙値に基づいて遊技音量を設定可能な遊技音量設定手段とを備えた遊技機において、電源投入後に、現在選択されている前記甲値の情報を取得し、当該甲値に関する情報を現在情報として記憶する現在情報記憶手段と、前記甲値が変更された場合には、その変更後の前記甲値の情報により前記現在情報の内容を更新する現在情報更新手段と、を有するものである。
【手続補正４】
【補正対象書類名】明細書
【補正対象項目名】０００６
【補正方法】変更
【補正の内容】
【０００６】
本発明によれば、音量の調整をより好適に行うことが可能となる。
【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
外枠に対して開閉可能な本体枠と、該本体枠に設けられ、遊技球が流下可能な遊技領域が形成された遊技盤とを備え、前記遊技領域に、遊技球の入球により賞球を付与する入賞口と、賞球を付与しないアウト口とが設けられた遊技機において、
前記入賞口に入球した遊技球の入球数と、前記アウト口に入球した遊技球の入球数とを用いて所定の演算を行い、該演算の結果を記憶して外部から認識しうる特別情報として出力する特別情報出力手段と、
当該遊技機の状態を判定する判定手段と、を備え、
前記判定手段として、
特定検知部による検知を条件に含んで特定の管理者行為が行われたことを判定する手段と、を有し、
前記特定の管理者行為が行われたと判定された場合には、記憶されている前記特別情報が保持され、該特別情報が保持されているときには、前記入賞口と前記アウト口とに遊技球が入球したとしても前記演算が行われない状態になり、
さらに、前記特定検知部は、少なくとも前記本体枠が開放状態にあることを検知するものであり、
前記特定の行為が行われたことが判定されてから所定の解除条件が成立するまでの間、前記演算が行われない状態が維持され、
さらに、当該遊技機に供給された遊技球を遊技に使用することなく遊技機外部に排出する別排出手段を備え、
前記別排出手段によって排出された遊技球は前記演算に反映されないように構成されてなる
ことを特徴とする遊技機。
【手続補正２】
【補正対象書類名】明細書
【補正対象項目名】０００６
【補正方法】変更
【補正の内容】
【０００６】
上記した目的を達成するために、請求項１に係る発明においては、
外枠に対して開閉可能な本体枠と、該本体枠に設けられ、遊技球が流下可能な遊技領域が形成された遊技盤とを備え、前記遊技領域に、遊技球の入球により賞球を付与する入賞口と、賞球を付与しないアウト口とが設けられた遊技機において、
前記入賞口に入球した遊技球の入球数と、前記アウト口に入球した遊技球の入球数とを用いて所定の演算を行い、該演算の結果を記憶して外部から認識しうる特別情報として出力する特別情報出力手段と、
当該遊技機の状態を判定する判定手段と、を備え、
前記判定手段として、
特定検知部による検知を条件に含んで特定の管理者行為が行われたことを判定する手段と、を有し、
前記特定の管理者行為が行われたと判定された場合には、記憶されている前記特別情報が保持され、該特別情報が保持されているときには、前記入賞口と前記アウト口とに遊技球が入球したとしても前記演算が行われない状態になり、
さらに、前記特定検知部は、少なくとも前記本体枠が開放状態にあることを検知するものであり、
前記特定の行為が行われたことが判定されてから所定の解除条件が成立するまでの間、前記演算が行われない状態が維持され、
さらに、当該遊技機に供給された遊技球を遊技に使用することなく遊技機外部に排出する別排出手段を備え、
前記別排出手段によって排出された遊技球は前記演算に反映されないように構成されてなる
ことを特徴とする。
【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
表面実装されるコネクタがハンダ付けされる基板を備える遊技機であって、
前記表面実装されるコネクタの筐体は、樹脂により形成されると共に、当該表面実装されるコネクタの筐体に金属製の筐体固定部が設けられ、
前記筐体固定部が前記基板にハンダ付けされることで当該基板のグランドに電気的に接続され、
前記表面実装されるコネクタの筐体は、当該筐体の長手方向端部に前記筐体固定部を有する、
ことを特徴とする遊技機。
【手続補正２】
【補正対象書類名】明細書
【補正対象項目名】０００７
【補正方法】変更
【補正の内容】
【０００７】
上記した目的を達成するために、本発明においては、
表面実装されるコネクタがハンダ付けされる基板を備える遊技機であって、
前記表面実装されるコネクタの筐体は、樹脂により形成されると共に、当該表面実装されるコネクタの筐体に金属製の筐体固定部が設けられ、
前記筐体固定部が前記基板にハンダ付けされることで当該基板のグランドに電気的に接続され、
前記表面実装されるコネクタの筐体は、当該筐体の長手方向端部に前記筐体固定部を有する、
ことを特徴とする。
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域が形成された遊技盤を備え、前記遊技領域を流下した遊技球が所定の始動口に入球することに基づいて抽選を行い、該抽選の結果に基づいて図柄の変動表示を行い、該図柄の変動表示の結果として当り結果が導出された場合に所定の当り遊技を実行可能であり、前記始動口を含めた所定の入賞口に遊技球が入賞することで所定数の賞球を遊技者に払い出すことが可能な遊技機において、
当該遊技機の電源投入に際して管理者による第１の操作が行われた場合に、前記当り結果が導出される確率に関する設定値を決定可能な設定決定モードを発生させる設定決定モード発生手段と、
当該遊技機の電源投入に際して管理者による第２の操作が行われた場合に、前記設定値を確認可能な設定確認モードを発生させる設定確認モード発生手段と、
特定の異常を判定する特定異常判定手段と、
前記特定の異常に対応する特定異常報知を行う特定異常報知手段と、を備え、
前記設定決定モードと前記設定確認モードは、いずれも管理者による終了操作が行われることで終了するものとし、該終了後に通常の遊技モードに移行可能であり、
前記通常の遊技モード中に限らず、前記設定決定モード中と前記設定確認モード中においても、前記特定異常判定手段による判定が可能であり、
前記特定異常報知は、複数の報知部を用いて実行可能であり、
前記複数の報知部には、前記賞球の払い出しを制御する払出制御基板に設けられる払出表示部と、遊技中の演出進行に応じて発光可能な発光部とが含まれ、
前記通常の遊技モード中に行う前記特定異常報知は、前記払出表示部と前記発光部の両方で実行されるが、前記設定決定モード中と前記設定確認モード中に行う前記特定異常報知は、前記発光部では実行されずに前記払出表示部で実行されるものであり、
さらに、前記設定決定モード中と前記設定確認モード中は、遊技の進行が不能とされる
ことを特徴とする遊技機。
【手続補正２】
【補正対象書類名】明細書
【補正対象項目名】０００２
【補正方法】変更
【補正の内容】
【０００２】
従来、パチンコ機等の遊技機として、遊技場管理者による設定変更操作によって、当り確率等の設定状態を複数のいずれかに設定する遊技機が知られている。（例えば、特許文献１）。
【手続補正３】
【補正対象書類名】明細書
【補正対象項目名】０００３
【補正方法】変更
【補正の内容】
【０００３】
【特許文献１】特開平６−９１０４９号公報
【手続補正４】
【補正対象書類名】明細書
【補正対象項目名】０００４
【補正方法】変更
【補正の内容】
【０００４】
しかしながら、設定情報を有する従来の遊技機については、不正行為に対する対策に欠けるという問題があった。
【手続補正５】
【補正対象書類名】明細書
【補正対象項目名】０００５
【補正方法】変更
【補正の内容】
【０００５】
本発明は、上記した事情に鑑みなされたもので、その目的とするところは、不正行為に対する抑止力の向上を図ることが可能な遊技機を提供することにある。
【手続補正６】
【補正対象書類名】明細書
【補正対象項目名】０００７
【補正方法】変更
【補正の内容】
【０００７】
上記した目的を達成するために、請求項１に係る発明においては、
遊技球が流下可能な遊技領域が形成された遊技盤を備え、前記遊技領域を流下した遊技球が所定の始動口に入球することに基づいて抽選を行い、該抽選の結果に基づいて図柄の変動表示を行い、該図柄の変動表示の結果として当り結果が導出された場合に所定の当り遊技を実行可能であり、前記始動口を含めた所定の入賞口に遊技球が入賞することで所定数の賞球を遊技者に払い出すことが可能な遊技機において、
当該遊技機の電源投入に際して管理者による第１の操作が行われた場合に、前記当り結果が導出される確率に関する設定値を決定可能な設定決定モードを発生させる設定決定モード発生手段と、
当該遊技機の電源投入に際して管理者による第２の操作が行われた場合に、前記設定値を確認可能な設定確認モードを発生させる設定確認モード発生手段と、
特定の異常を判定する特定異常判定手段と、
前記特定の異常に対応する特定異常報知を行う特定異常報知手段と、を備え、
前記設定決定モードと前記設定確認モードは、いずれも管理者による終了操作が行われることで終了するものとし、該終了後に通常の遊技モードに移行可能であり、
前記通常の遊技モード中に限らず、前記設定決定モード中と前記設定確認モード中においても、前記特定異常判定手段による判定が可能であり、
前記特定異常報知は、複数の報知部を用いて実行可能であり、
前記複数の報知部には、前記賞球の払い出しを制御する払出制御基板に設けられる払出表示部と、遊技中の演出進行に応じて発光可能な発光部とが含まれ、
前記通常の遊技モード中に行う前記特定異常報知は、前記払出表示部と前記発光部の両方で実行されるが、前記設定決定モード中と前記設定確認モード中に行う前記特定異常報知は、前記発光部では実行されずに前記払出表示部で実行されるものであり、
さらに、前記設定決定モード中と前記設定確認モード中は、遊技の進行が不能とされる
ことを特徴とする。
【手続補正７】
【補正対象書類名】明細書
【補正対象項目名】０００９
【補正方法】変更
【補正の内容】
【０００９】
本発明によれば、従来に比べて不正行為に対する抑止力の向上を図ることができる。
【手続補正書】
【提出日】令和3年6月17日(2021.6.17)
【手続補正１】
【補正対象書類名】特許請求の範囲
【補正対象項目名】全文
【補正方法】変更
【補正の内容】
【特許請求の範囲】
【請求項１】
遊技を行う遊技盤を備える遊技機であって、
前記遊技盤が設けられる本体枠と、
該本体枠に開閉可能に軸支される前枠と、
前記前枠に設けられ、前記遊技に関連して発光可能であると共に、当該遊技機に異常または不具合が生じた際に通常時と異なる態様で発光可能な複数の発光素子が表実装面に実装される前枠発光基板を備える前枠発光手段と、を有し、
前記前枠発光基板の表実装面には、白色塗膜と、該白色塗膜上に黄色で形成されて前記複数の発光素子それぞれを特定可能な表記部と、が形成され、
前記前枠発光基板の表実装面に実装される前記発光素子は、白色を有する外装を備え、
前記前枠発光手段は、前記前枠が開放状態にあるときには、前記通常時と異なる態様で発光していることが前記前枠の前方からだけでなく前記前枠の後方からも視認できるように前記前枠に設けられる、
ことを特徴とする遊技機。
【手続補正２】
【補正対象書類名】明細書
【補正対象項目名】０００２
【補正方法】変更
【補正の内容】
【０００２】
従来より、発光装置が設けられる前枠を備える遊技機が提案されている（例えば、特許文献１）。発光装置は、遊技機に何らかの異常や不具合が生ずると、通常時と異なる特別な態様で発光し、異常や不具合の発生を外部に知らせることができる。
【手続補正３】
【補正対象書類名】明細書
【補正対象項目名】０００４
【補正方法】変更
【補正の内容】
【０００４】
ところが、従来と同様の態様では、異常や不具合の発生を外部に知らせることが十分であるとは言い難かった。
【手続補正４】
【補正対象書類名】明細書
【補正対象項目名】０００５
【補正方法】変更
【補正の内容】
【０００５】
本発明は、このような事情に鑑みてなされたものであり、その目的とするところは、新たな態様で異常や不具合の発生を外部に知らせることができる遊技機を提供することにある。
【手続補正５】
【補正対象書類名】明細書
【補正対象項目名】０００７
【補正方法】変更
【補正の内容】
【０００７】
上記した目的を達成するために、本発明においては、
遊技を行う遊技盤を備える遊技機であって、
前記遊技盤が設けられる本体枠と、
該本体枠に開閉可能に軸支される前枠と、
前記前枠に設けられ、前記遊技に関連して発光可能であると共に、当該遊技機に異常または不具合が生じた際に通常時と異なる態様で発光可能な複数の発光素子が表実装面に実装される前枠発光基板を備える前枠発光手段と、を有し、
前記前枠発光基板の表実装面には、白色塗膜と、該白色塗膜上に黄色で形成されて前記複数の発光素子それぞれを特定可能な表記部と、が形成され、
前記前枠発光基板の表実装面に実装される前記発光素子は、白色を有する外装を備え、
前記前枠発光手段は、前記前枠が開放状態にあるときには、前記通常時と異なる態様で発光していることが前記前枠の前方からだけでなく前記前枠の後方からも視認できるように前記前枠に設けられる、
ことを特徴とする。
【手続補正６】
【補正対象書類名】明細書
【補正対象項目名】０００８
【補正方法】変更
【補正の内容】
【０００８】
本発明の遊技機においては、新たな態様で異常や不具合の発生を外部に知らせることができる。
【手続補正書】
【提出日】令和3年11月2日(2021.11.2)
【手続補正１】
【補正対象書類名】特許請求の範囲
【補正対象項目名】全文
【補正方法】変更
【補正の内容】
【特許請求の範囲】
【請求項１】
入球口への入球に基づいて判定処理を行う遊技制御手段を実装する遊技制御基板を備える遊技機において、
前記遊技制御基板は、
所定の初期位置から移動位置まで操作可能であり、前記移動位置まで操作されていることに基づいて設定変更モードに移行させることが可能な移行操作手段と、
前記判定処理で大当たりと判定される確率に対応する設定値を表示可能な表示手段と、を備え、
前記遊技制御手段は、
前記設定変更モードに設定されているときに、ドライバを駆動させることで、前記表示手段にて前記設定値を表示させることが可能であり、
前記設定変更モードに移行した後に、前記移行操作手段が前記移動位置から前記初期位置へ操作されている途中で、前記設定変更モードを終了させることが可能であり、
前記ドライバは、前記表示手段の内部に組み込まれていることを特徴とする遊技機。
【手続補正２】
【補正対象書類名】明細書
【補正対象項目名】０００６
【補正方法】変更
【補正の内容】
【０００６】
本発明の遊技機は、
入球口への入球に基づいて判定処理を行う遊技制御手段を実装する遊技制御基板を備える遊技機において、
前記遊技制御基板は、
所定の初期位置から移動位置まで操作可能であり、前記移動位置まで操作されていることに基づいて設定変更モードに移行させることが可能な移行操作手段と、
前記判定処理で大当たりと判定される確率に対応する設定値を表示可能な表示手段と、を備え、
前記遊技制御手段は、
前記設定変更モードに設定されているときに、ドライバを駆動させることで、前記表示手段にて前記設定値を表示させることが可能であり、
前記設定変更モードに移行した後に、前記移行操作手段が前記移動位置から前記初期位置へ操作されている途中で、前記設定変更モードを終了させることが可能であり、
前記ドライバは、前記表示手段の内部に組み込まれていることを特徴とする遊技機である。
【手続補正書】
【提出日】令和3年11月2日(2021.11.2)
【手続補正１】
【補正対象書類名】特許請求の範囲
【補正対象項目名】全文
【補正方法】変更
【補正の内容】
【特許請求の範囲】
【請求項１】
枠状の基枠部と、前記基枠部の前面側に位置する前枠部とを含む遊技機枠と、
前記遊技機枠の内部に配されている遊技盤と、
前記遊技機枠に設けられていて外部から供給される電源に基づいて電力を供給可能な電力供給部と、
前記遊技機枠に設けられている枠側基板と、
前記遊技盤に設けられていて、入球口への入球に基づいて判定処理を行う遊技制御手段を実装する遊技制御基板と、を備える遊技機において、
前記遊技制御基板は、
操作に基づいて設定変更モードに移行させることが可能な移行操作手段と、
前記判定処理で大当たりと判定される確率に対応する設定値を記憶可能な記憶手段と、を備え、
前記電力供給部は、特定電圧の電力を前記枠側基板に供給可能であり、
前記枠側基板は、前記電力供給部から供給された前記特定電圧の電力を前記遊技制御基板に供給可能であって、バックアップ電源を供給可能なバックアップ電源供給手段を備え、
前記バックアップ電源供給手段は、前記電力供給部から前記遊技制御手段に前記特定電圧の電力が供給されていないときに、前記遊技制御手段にバックアップ電源を供給可能であり、
前記遊技制御手段は、
電源投入時に前記設定変更モードに移行しないで且つ前記記憶手段に前記設定値が記憶されていない場合には、遊技に係る制御を実行不能なエラーモードに設定することを特徴とする遊技機。
【手続補正２】
【補正対象書類名】明細書
【補正対象項目名】０００６
【補正方法】変更
【補正の内容】
【０００６】
本発明の遊技機は、
枠状の基枠部と、前記基枠部の前面側に位置する前枠部とを含む遊技機枠と、
前記遊技機枠の内部に配されている遊技盤と、
前記遊技機枠に設けられていて外部から供給される電源に基づいて電力を供給可能な電力供給部と、
前記遊技機枠に設けられている枠側基板と、
前記遊技盤に設けられていて、入球口への入球に基づいて判定処理を行う遊技制御手段を実装する遊技制御基板と、を備える遊技機において、
前記遊技制御基板は、
操作に基づいて設定変更モードに移行させることが可能な移行操作手段と、
前記判定処理で大当たりと判定される確率に対応する設定値を記憶可能な記憶手段と、を備え、
前記電力供給部は、特定電圧の電力を前記枠側基板に供給可能であり、
前記枠側基板は、前記電力供給部から供給された前記特定電圧の電力を前記遊技制御基板に供給可能であって、バックアップ電源を供給可能なバックアップ電源供給手段を備え、
前記バックアップ電源供給手段は、前記電力供給部から前記遊技制御手段に前記特定電圧の電力が供給されていないときに、前記遊技制御手段にバックアップ電源を供給可能であり、
前記遊技制御手段は、
電源投入時に前記設定変更モードに移行しないで且つ前記記憶手段に前記設定値が記憶されていない場合には、遊技に係る制御を実行不能なエラーモードに設定することを特徴とする遊技機である。
【手続補正書】
【提出日】令和2年11月25日(2020.11.25)
【手続補正１】
【補正対象書類名】特許請求の範囲
【補正対象項目名】全文
【補正方法】変更
【補正の内容】
【特許請求の範囲】
【請求項１】
判定条件の成立に基づいて、遊技者に有利な特別遊技が実行される特別遊技状態に移行させるか否かの移行判定を行う移行判定手段と、
出玉性能を示す指標となる性能情報を記憶する記憶手段と、
前記記憶手段に記憶された前記性能情報が表示される性能情報表示手段と、
前記性能情報表示手段に前記性能情報を表示させる性能情報表示制御手段と、
前記性能情報表示手段に表示される前記性能情報を正面の特定方向から視認不能又は視認困難な第１位置と、前記性能情報表示手段に表示される前記性能情報の全体を前記正面の前記特定方向から視認可能な第２位置との間で移動可能な視認制限手段と、
前記特別遊技状態において前記視認制限手段の前記第１位置と前記第２位置との間の移動を規定する規定手段と、
遊技球の入球に基づいて入賞口種別に応じた一定数の遊技球の払い出しを行わせる複数の入賞口と、
を備え、
前記視認制限手段は、特定の条件が満たされる場合に、前記性能情報表示手段に表示される前記性能情報の少なくとも一部を前記正面の前記特定方向から視認可能にし、
前記規定手段は、前記特別遊技状態において移動開始条件が満たされる場合に前記視認制限手段の前記第１位置から前記第２位置への移動を可能にし、前記特別遊技状態において前記移動開始条件が満たされない場合に前記視認制限手段の前記第１位置から前記第２位置への移動を制限し、
前記性能情報表示制御手段は、複数種の前記性能情報を表示可能であり、
前記複数の入賞口は、遊技球の入球に基づいて所定数の遊技球の払い出しを行わせ、遊技球の入球によって前記移行判定手段による前記移行判定を行う契機を与える第１入賞口と、遊技球の入球に基づいて特定数の遊技球の払い出しを行わせ、前記第１入賞口とは機能が異なる一般入賞口と、を含み、
遊技盤への遊技球の発射玉数に対する、少なくとも前記第１入賞口への遊技球の入球に対する遊技球の第１払出玉数と前記一般入賞口への遊技球の入球に対する遊技球の第２払出玉数との合算払出玉数に関する比率である出玉率を演算する出玉率演算手段を備え、
前記性能情報は、前記出玉率演算手段によって演算される前記出玉率に関する情報を含むことを特徴とする遊技機。
【手続補正書】
【提出日】令和3年9月29日(2021.9.29)
【手続補正１】
【補正対象書類名】特許請求の範囲
【補正対象項目名】全文
【補正方法】変更
【補正の内容】
【特許請求の範囲】
【請求項１】
通常状態と、前記通常状態から移行可能であり、前記通常状態より遊技者にとって有利な有利状態とを有し、
前記有利状態は、遊技可能な遊技区間に上限が設定された遊技状態であり、少なくとも、第１有利状態と、当該第１有利状態と有利度が異なる第２有利状態と、当該第１有利状態と前記有利度が同じ第３有利状態とを備え、
前記第３有利状態は、所定条件が成立した場合に、前記上限まで継続する状態であり、
前記第１有利状態中に、前記所定条件が成立した場合は、当該第１有利状態の遊技区間を最後まで実行した後、前記第３有利状態に移行し、前記第２有利状態中に、前記所定条件が成立した場合は、当該第２有利状態を終了し、前記第３有利状態に移行することを特徴とする遊技機。
【請求項２】
通常状態と、前記通常状態から移行可能であり、前記通常状態より遊技者にとって有利な有利状態とを有し、
前記有利状態は、遊技可能な遊技区間に上限が設定された遊技状態であり、少なくとも、第１有利状態と、当該第１有利状態と有利度が異なる第２有利状態と、当該第１有利状態と前記有利度が同じ第３有利状態とを備え、
前記第１有利状態と前記第２有利状態と前記第３有利状態とでは、それぞれの状態に応じた演出が実行され、
前記第３有利状態は、所定条件が成立した場合に、前記上限まで継続する状態であり、
前記第１有利状態中に、前記所定条件が成立した場合は、当該第１有利状態を終了し前記第３有利状態に移行するが、移行した当該第３有利状態では、前記第１有利状態を終了した際の当該第１有利状態の残りの遊技区間の間、当該第１有利状態の演出を継続した後、当該第３有利状態の演出に変更し、
前記第２有利状態中に、前記所定条件が成立した場合は、当該第２有利状態を終了し、前記第３有利状態に移行して、当該第３有利状態の演出を実行することを特徴とする遊技機。
【手続補正書】
【提出日】令和2年11月25日(2020.11.25)
【手続補正１】
【補正対象書類名】特許請求の範囲
【補正対象項目名】全文
【補正方法】変更
【補正の内容】
【特許請求の範囲】
【請求項１】
判定条件の成立に基づいて、遊技者に有利な特別遊技が実行される特別遊技状態に移行させるか否かの移行判定を行う移行判定手段と、
出玉性能を示す指標となる性能情報を記憶する記憶手段と、
前記記憶手段に記憶された前記性能情報が表示される性能情報表示手段と、
前記性能情報表示手段に前記性能情報を表示させる性能情報表示制御手段と、
前記性能情報表示手段に表示される前記性能情報を正面の特定方向から視認不能又は視認困難な第１位置と、前記性能情報表示手段に表示される前記性能情報の全体を前記正面の前記特定方向から視認可能な第２位置との間で移動可能な視認制限手段と、
前記特別遊技状態において前記視認制限手段の前記第１位置と前記第２位置との間の移動を規定する規定手段と、
遊技盤の所定領域を流下する遊技球を前記遊技盤の背面側に排出可能な第１排出口と、
前記所定領域を流下する遊技球を前記遊技盤の背面側に排出可能であり、前記第１排出口とは異なる第２排出口と、
前記所定領域を流下する遊技球を前記第１排出口に誘導可能な第１排出流路と、
前記所定領域を流下する遊技球を前記第２排出口に誘導可能であり、前記第１排出流路とは異なる第２排出流路と、
前記視認制限手段が前記第２位置にある場合の所定遊技状態において、前記遊技盤の特定領域を流下する遊技球を前記遊技盤の背面側に排出可能である排出手段と、
を備え、
前記視認制限手段は、特定の条件が満たされる場合に、前記性能情報表示手段に表示される前記性能情報の少なくとも一部を前記正面の前記特定方向から視認可能にし、
前記規定手段は、前記特別遊技状態において移動開始条件が満たされる場合に前記視認制限手段の前記第１位置から前記第２位置への移動を可能にし、前記特別遊技状態において前記移動開始条件が満たされない場合に前記視認制限手段の前記第１位置から前記第２位置への移動を制限し、
前記性能情報表示制御手段は、複数種の前記性能情報を表示可能であり、
前記所定領域を流下する遊技球を前記第１排出流路及び前記第２排出流路のいずれかに誘導可能な手段を備え、
前記排出手段は、前記視認制限手段に関する異常がある場合に、前記遊技盤の前記特定領域を流下する遊技球を前記遊技盤の背面側に排出可能であることを特徴とする遊技機。
【手続補正書】
【提出日】令和3年7月8日(2021.7.8)
【手続補正１】
【補正対象書類名】特許請求の範囲
【補正対象項目名】全文
【補正方法】変更
【補正の内容】
【特許請求の範囲】
【請求項１】
左右の支持体に水密性を確保しながら着脱可能に取り付けられる止水板本体を有する止水装置であって、
前記止水板本体の前記屋内向き面部の幅方向端部位を前記支持体の屋外向き面部に側部止水部材を介在させて対峙させ、かつ前記止水板本体の前記底面部を前記床面に下部止水部材を介在させて対峙させて、前記止水板本体を前記支持体に取り付ける構成であって、
前記支持体の前記屋外向き側面部の下端部位に連続して前記床面の上に配置されるコーナー部材を備えている、
止水装置。
【請求項２】
前記側部止水部材及び前記下部止水部材は前記止水板本体に取り付いており、
前記止水板本体を前記支持体に取り付けるにあたり、前記側部止水部材を前記支持体の前記屋外向き側面部に密着させ、前記下部止水部材を前記床面に密着させるとともに、前記止水板本体の前記屋内向き面部と前記底面部とが交わる下端角部を覆う前記側部止水部材の下側部を前記コーナー部材に密着させる、
請求項１に記載の止水装置。
【請求項３】
前記止水板本体の前記屋内向き面部と前記底面部とが交わる下端角部が丸みを帯びている、
請求項１又は２に記載の止水装置。
【請求項４】
前記コーナー部材は、前記屋外向き側面部から前記床面に向けて傾斜した傾斜面を備えている、
請求項１〜３のいずれか一項に記載の止水装置。
【請求項５】
前記傾斜面は凹状に湾曲している、
請求項４に記載の止水装置。
【請求項６】
前記止水板本体の前記屋内向き面部と前記底面部とが交わる下端角部を覆う前記側部止水部材の下側部は側面視で丸みを帯びている、
請求項１〜５のいずれか一項に記載の止水装置。
【請求項７】
前記止水板本体の前記底面部に、前記側部止水部材と前記下部止水部材との連結部を屋外側で覆う補助止水部材を備えている、
請求項１〜６に記載の止水装置。
【請求項８】
前記コーナー部材は、弾性を有する材料で形成されている、
請求項１〜７のいずれか一項に記載の止水装置。
【請求項９】
前記止水板本体の前記屋内向き面部の幅方向端部位に前記止水板本体の幅方向にスライド自在に設けたスライド支持体を備えており、
前記スライド支持体を前記支持体に向けて押圧しながら固定することで前記止水板本体を前記支持体に着脱可能に取り付ける、
請求項１〜８のいずれか一項に記載の止水装置。
【請求項１０】
前記止水板本体が前記スライド支持体に対して相対的に下降されることで、前記スライド支持体を前記出入口端部体に向けてスライドさせるように構成されている、
請求項９に記載の止水装置。
【請求項１１】
前記止水板本体は前記屋内向き面部の前記幅方向端部位に突設された突起部材を備え、  前記スライド支持体は前記止水板本体の前記突起部材が挿通される案内溝を備え、
前記案内溝は前記支持体から離れるほど下方に位置するように斜め下向きに延びる傾斜溝部を備えている、
請求項９又は１０に記載の止水装置。
【請求項１２】
前記突起部材は、前記案内溝に挿通される軸部と前記軸部の先端部に設けられた頭部とを備え、
前記案内溝は前記傾斜溝部の下端部から下向きに延びる上下溝部を備え、
前記スライド支持体には、前記案内溝の前記上下溝部の側方に前記突起部材の頭部を保持する頭部保持部が設けられている、
請求項１１に記載の止水装置。
【請求項１３】
前記頭部保持部は、下方側ほど前記上下溝部から離れるように傾斜する頭部スライド面部と、前記頭部スライド面部の下方に設けられて前記突起部材の頭部が嵌り込む頭部保持凹部とを備えている、
請求項１２に記載の止水装置。
【請求項１４】
前記スライド支持体の前記止水板本体から離れる方向への移動を制限する制限部と、
前記スライド支持体を前記止水板本体とは離れる方向へ向けて付勢する弾性部材と、を備えている、
請求項９〜１３のいずれか一項に記載の止水装置。
【請求項１５】
前記スライド支持体の前記止水板本体側への移動を制限するスペーサ部材を備えている、
請求項９〜１４のいずれか一項に記載の止水装置。
【請求項１６】
前記スライド支持体に、前記支持体の前記左右対向側面部に密着する押圧弾性部材が設けられている、
請求項９〜１５のいずれか一項に記載の止水装置。
【請求項１７】
前記スライド支持体の下部に、左右方向に転動可能な車輪が設けられている、
請求項９〜１６のいずれか一項に記載の止水装置。
【請求項１８】
間隔を空けて設置された左右の支持体と、左右の前記支持体に着脱可能に取り付けられて立設される止水板本体とを備えた止水装置であって、
前記止水板本体は、前記支持体に対して前後方向に移動されるとともに、前記支持体に係止されることで、前記止水板本体が前記支持体に接続される、
止水装置。
【請求項１９】
前記止水板本体は、少なくとも屋内向き面部における前記支持体と当接する領域と、床面上に配置される底面部とにまたがって連続して設けられた止水部材を備える、
請求項１８に記載の止水装置。
【請求項２０】
前記止水板本体に設けた係止突起部が、前記支持体に設けた案内面に沿って移動した後、前記支持体に設けた保持部に係止されることで前記止水板が前記支持体に接続される、
請求項１８又は１９に記載の止水装置。
【手続補正書】
【提出日】令和3年9月16日(2021.9.16)
【手続補正１】
【補正対象書類名】特許請求の範囲
【補正対象項目名】全文
【補正方法】変更
【補正の内容】
【特許請求の範囲】
【請求項１】
ハウジング（１２）と、
前記ハウジングに設けられ、トルクを出力可能な原動機（２０）と、
前記原動機のトルクを減速して出力可能な減速機（３０）と、
前記減速機から出力されたトルクが入力されると前記ハウジングに対し相対回転する回転部（４０）、および、前記回転部が前記ハウジングに対し相対回転すると前記ハウジングに対し軸方向に相対移動する並進部（５０）を有する回転並進部（２）と、
前記ハウジングに対し相対回転可能に設けられた第１伝達部（６１）と第２伝達部（６２）との間に設けられ、係合している係合状態のとき、前記第１伝達部と前記第２伝達部との間のトルクの伝達を許容し、係合していない非係合状態のとき、前記第１伝達部と前記第２伝達部との間のトルクの伝達を遮断するクラッチ（７０）と、
前記並進部から軸方向の力を受け、前記ハウジングに対する前記並進部の軸方向の相対位置に応じて前記クラッチの状態を係合状態または非係合状態に変更可能な状態変更部（８０、９０）と、を備え、
前記減速機は、
前記原動機のトルクが入力されるサンギア（３１）、
前記サンギアに噛み合いつつ自転しながら前記サンギアの周方向に公転可能なプラネタリギア（３２）、
前記プラネタリギアを回転可能に支持し、前記サンギアに対し相対回転可能な環状のキャリア（３３）、
前記ハウジングに固定され、前記プラネタリギアに噛み合い可能な第１リングギア（３４）、および、
前記プラネタリギアに噛み合い可能、かつ、前記第１リングギアとは歯部の歯数が異なるよう形成され、前記回転部にトルクを出力する第２リングギア（３５）を有し、
前記サンギアは、軸方向の少なくとも一部が前記キャリアに対し径方向内側に位置するよう設けられ、
前記第１リングギアおよび前記第２リングギアは、軸方向の少なくとも一部が前記キャリアに対し径方向外側に位置するよう設けられており、
前記回転部は、一方の面に形成された複数の駆動カム溝（４００）を有する駆動カム（４０）であり、
前記並進部は、一方の面に形成された複数の従動カム溝（５００）を有する従動カム（５０）であり、
前記回転並進部は、前記駆動カム、前記従動カム、および、前記駆動カム溝と前記従動カム溝との間で転動可能に設けられた転動体（３）を有する転動体カム（２）であるクラッチ装置。
【請求項２】
前記転動体は、前記第１リングギアおよび前記第２リングギアの径方向内側に設けられている請求項１に記載のクラッチ装置。
【請求項３】
軸方向の少なくとも一部が前記キャリアに対し径方向内側または径方向外側に位置するよう、前記サンギア、前記第１リングギアまたは前記第２リングギアの少なくとも１つに設けられ、外周壁または内周壁が前記キャリアの内周壁または外周壁と摺動しつつ前記キャリアに対し相対回転可能な筒状または環状のガイド部（１７１、１７２、１７３）をさらに備える請求項１または２に記載のクラッチ装置。
【請求項４】
軸方向の少なくとも一部が前記キャリアに対し径方向内側または径方向外側に位置するよう、前記サンギア、前記第１リングギアまたは前記第２リングギアの少なくとも１つに設けられ、前記キャリアに対し相対回転可能な筒状または環状のガイド部（１７１、１７２、１７３）と、
前記キャリアの内周壁または外周壁と前記ガイド部との間に設けられた筒状の軸受本体（１９１）を有するすべり軸受部（１９０）と、
をさらに備える請求項１または２に記載のクラッチ装置。
【請求項５】
前記すべり軸受部は、前記キャリアの軸方向の一方または他方の面に接触可能なよう前記軸受本体の軸方向の一方または他方の端部から径方向に延びる環状の軸受延伸部（１９２）をさらに有する請求項４に記載のクラッチ装置。
【請求項６】
前記ガイド部の外径または内径は、前記サンギア、前記第１リングギアまたは前記第２リングギアのそれぞれの歯先が前記プラネタリギアの歯底に接触せず、前記プラネタリギアの歯先が前記サンギア、前記第１リングギアまたは前記第２リングギアのそれぞれの歯底に接触しない程度の大きさに設定されている請求項３〜５のいずれか一項に記載のクラッチ装置。
【請求項７】
前記サンギア、前記プラネタリギア、前記第１リングギアおよび前記第２リングギアは、歯部にクラウニング加工が施されている請求項１〜６のいずれか一項に記載のクラッチ装置。
【請求項８】
前記キャリアの軸方向の一方の面に対し軸方向の一方側に位置するよう設けられ、前記ハウジングに対する前記キャリアの軸方向の相対移動を規制可能な第１規制部（１８１）と、
前記キャリアの軸方向の他方の面に対し軸方向の他方側に位置するよう設けられ、前記ハウジングに対する前記キャリアの軸方向の相対移動を規制可能な第２規制部（１８２）と、
をさらに備える請求項１〜７のいずれか一項に記載のクラッチ装置。
【手続補正２】
【補正対象書類名】明細書
【補正対象項目名】００１５
【補正方法】変更
【補正の内容】
【００１５】
このように、本発明では、サンギア、第１リングギアおよび第２リングギアにより、減速機のキャリアの径方向の相対移動を規制可能である。そのため、減速機の作動を安定させることができる。
また、本発明では、回転部は、一方の面に形成された複数の駆動カム溝（４００）を有する駆動カム（４０）である。並進部は、一方の面に形成された複数の従動カム溝（５００）を有する従動カム（５０）である。回転並進部は、駆動カム、従動カム、および、駆動カム溝と従動カム溝との間で転動可能に設けられた転動体（３）を有する転動体カム（２）である。
【手続補正書】
【提出日】令和3年9月16日(2021.9.16)
【手続補正１】
【補正対象書類名】特許請求の範囲
【補正対象項目名】請求項１
【補正方法】変更
【補正の内容】
【請求項１】
ハウジング（１２）と、
前記ハウジングに設けられ、トルクを出力可能な原動機（２０）と、
前記原動機のトルクを減速して出力可能な減速機（３０）と、
前記減速機から出力されたトルクが入力されると前記ハウジングに対し相対回転する回転部（４０）、および、前記回転部が前記ハウジングに対し相対回転すると前記ハウジングに対し軸方向に相対移動する並進部（５０）を有する回転並進部（２）と、
前記ハウジングに対し相対回転可能に設けられた第１伝達部（６１）と第２伝達部（６２）との間に設けられ、係合している係合状態のとき、前記第１伝達部と前記第２伝達部との間のトルクの伝達を許容し、係合していない非係合状態のとき、前記第１伝達部と前記第２伝達部との間のトルクの伝達を遮断するクラッチ（７０）と、
前記クラッチに当接可能に設けられ、前記並進部から軸方向の力を受け、前記ハウジングに対する前記並進部の軸方向の相対位置に応じて前記クラッチの状態を係合状態または非係合状態に変更可能な状態変更部（８０、９０）と、
前記ハウジングに対し相対回転不能に設けられた固定端（５７）と、
前記固定端に対し前記クラッチとは反対側に設けられ、前記並進部を前記固定端に対し前記クラッチとは反対側へ付勢可能なリターンスプリング（５５）と、
を備え、
前記リターンスプリングは、前記状態変更部の少なくとも一部の径方向内側に設けられているクラッチ装置。
【手続補正２】
【補正対象書類名】特許請求の範囲
【補正対象項目名】請求項４
【補正方法】変更
【補正の内容】
【請求項４】
前記リターンスプリングは、前記当接部および前記軸受部の少なくとも一方の径方向内側に設けられている請求項３に記載のクラッチ装置。
【手続補正３】
【補正対象書類名】明細書
【補正対象項目名】００１１
【補正方法】変更
【補正の内容】
【００１１】
リターンスプリングは、固定端に対しクラッチとは反対側に設けられ、並進部を固定端に対しクラッチとは反対側へ付勢可能である。そのため、リターンスプリングからの荷重を、状態変更部を介すことなく、並進部に対し印加することができる。これにより、例えばクラッチと並進部とを離間させるためのリターンスプリングの荷重を大きくしても、状態変更部におけるトルク損失を抑制可能である。したがって、クラッチと回転並進部との間のトルク損失を抑制可能である。
また、本発明では、リターンスプリングは、状態変更部の少なくとも一部の径方向内側に設けられている。